(57)【要約】本発明に係る無線基地局Ｔ-ｅＮＢは、ハンドオーバ元無線基地局Ｓ-ｅＮＢから、移動局ＵＥについてのハンドオーバ要求メッセージを用いて、無線基地局Ｔ-ｅＮＢと上位ノードＳＧＷとの間で設定されているアクセスベアラごとに、無線基地局Ｔ-ｅＮＢに対して転送すべきユーザプレーンデータが存在しているか否かについて通知された場合、転送すべきユーザプレーンデータが存在しているアクセスベアラに対してのみ、ユーザプレーンデータを転送するためのデータ転送用トンネルを設定するように構成されている。
2009057684.tif 000002
【特許請求の範囲】
【請求項１】
移動局が、ハンドオーバ元無線基地局からハンドオーバ先無線基地局に対するハンドオーバを行う移動通信方法であって、
前記移動局についてハンドオーバを行うことが決定された場合に、上位ノードとの間で設定されているアクセスベアラごとに、前記ハンドオーバ先無線基地局に対して転送すべきユーザプレーンデータが存在しているか否かについて判定する工程Ａと、
前記ハンドオーバ先無線基地局に対して、前記移動局についてのハンドオーバ要求メッセージを用いて、前記判定結果を通知する工程Ｂと、
前記転送すべきユーザプレーンデータが存在しているアクセスベアラに対してのみ、前記ハンドオーバ元無線基地局から前記ハンドオーバ先無線基地局に該ユーザプレーンデータを転送するためのデータ転送用トンネルを設定し、前記ハンドオーバ要求メッセージに対するハンドオーバ要求応答メッセージを用いて、該データ転送用トンネルの設定情報を前記ハンドオーバ元無線基地局に対して通知する工程Ｃと、
前記ハンドオーバ元無線基地局が、前記データ転送用トンネルの設定情報に基づいて、前記データ転送用トンネルを介して、前記ハンドオーバ先無線基地局に対して、前記ユーザプレーンデータを転送する工程Ｄとを有することを特徴とする移動通信方法。
【請求項２】
前記ハンドオーバ元無線基地局及び前記ハンドオーバ先無線基地局は、同一の上位ノード配下に設けられており、
前記工程Ａにおいて、前記ハンドオーバ元無線基地局が、前記判定を行い、
前記工程Ｂにおいて、前記ハンドオーバ元無線基地局が、前記ハンドオーバ先無線基地局に対して、前記移動局についてのハンドオーバ要求メッセージを用いて、前記判定結果を通知し、
前記工程Ｃにおいて、前記データ転送用トンネルは、前記上位ノードを経由することなく設定されることを特徴とする請求項１に記載の移動通信方法。
【請求項３】
前記データ転送用トンネルの設定情報は、該データ転送用トンネルにおける前記ハンドオーバ先無線基地局側のＧＴＰ  ＴＥ-ＩＤであることを特徴とする請求項２に記載の移動通信方法。
【請求項４】
前記ハンドオーバ元無線基地局及び前記ハンドオーバ先無線基地局は、異なる上位ノード配下に設けられており、
前記工程Ｃにおいて、前記データ転送用トンネルは、前記上位ノードを経由して設定され、前記データ転送用トンネルの設定情報は、該上位ノードを経由して前記ハンドオーバ元無線基地局に対して通知されることを特徴とする請求項１に記載の移動通信方法。
【請求項５】
前記ハンドオーバ元無線基地局及び前記ハンドオーバ先無線基地局は、異なる上位ノード配下に設けられており、
前記工程Ｃにおいて、前記データ転送用トンネルは、前記上位ノードを経由しないで設定され、前記データ転送用トンネルの設定情報は、該上位ノードを経由しないで前記ハンドオーバ元無線基地局に対して通知されることを特徴とする請求項１に記載の移動通信方法。
【請求項６】
前記データ転送用トンネルの設定情報は、該データ転送用トンネルにおける前記上位ノード側の  ＧＴＰ  ＴＥ-ＩＤであることを特徴とする請求項４に記載の移動通信方法。
【請求項７】
前記移動局についてのハンドオーバ要求メッセージは、前記アクセスベアラごとに、前記ハンドオーバ先無線基地局に対して転送すべきユーザプレーンデータが存在しているか否かを示す指示情報を含むことを特徴とする請求項１乃至６のいずれか一項に記載の移動通信方法。
【請求項８】
前記移動局についてのハンドオーバ要求メッセージは、前記ハンドオーバ先無線基地局に対して転送すべきユーザプレーンデータが存在している前記アクセスベアラのリストを含むことを特徴とする請求項１乃至６のいずれか一項に記載の移動通信方法。
【請求項９】
移動局がハンドオーバ可能な移動通信システムにおいてハンドオーバ先無線基地局として機能することができる無線基地局であって、
ハンドオーバ元無線基地局から、前記移動局についてのハンドオーバ要求メッセージを用いて、ハンドオーバ元無線基地局と上位ノードとの間で設定されているアクセスベアラごとに、前記ハンドオーバ先無線基地局に対して転送すべきユーザプレーンデータが存在しているか否かについて通知された場合、該転送すべきユーザプレーンデータが存在しているアクセスベアラに対してのみ、該ユーザプレーンデータを転送するためのデータ転送用トンネルを設定するように構成されており、
前記ハンドオーバ要求メッセージに対するハンドオーバ要求応答メッセージを用いて、該データ転送用トンネルの設定情報を前記ハンドオーバ元無線基地局に対して通知するように構成されていることを特徴とする無線基地局。
【請求項１０】
移動局がハンドオーバ可能な移動通信システムにおいてハンドオーバ先無線基地局として機能することができる無線基地局であって、
上位ノードから、前記移動局についてのハンドオーバ要求メッセージを用いて、ハンドオーバ元無線基地局と該上位ノードとの間で設定されているアクセスベアラごとに、前記ハンドーバ先無線基地局に対して転送すべきユーザプレーンデータが存在しているか否かについて通知された場合、該転送すべきユーザプレーンデータが存在しているアクセスベアラに対してのみ、該ユーザプレーンデータを転送するためのデータ転送用トンネルを設定するように構成されており、
前記ハンドオーバ要求メッセージに対するハンドオーバ要求応答メッセージを用いて、前記データ転送用トンネルの設定情報を、前記上位ノードを介して、前記ハンドオーバ元無線基地局に対して通知するように構成されていることを特徴とする無線基地局。
【請求項１１】
前記移動局についてのハンドオーバ要求メッセージは、前記アクセスベアラごとに、前記無線基地局に対して転送すべきユーザプレーンデータが存在しているか否かを示す指示情報を含むことを特徴とする請求項９又は１０に記載の無線基地局。
【請求項１２】
前記移動局についてのハンドオーバ要求メッセージは、前記ハンドオーバ先無線基地局に対して転送すべきユーザプレーンデータが存在している前記アクセスベアラのリストを含むことを特徴とする請求項９又は１０に記載の無線基地局。
【請求項１３】
前記ハンドオーバ元無線基地局及び前記ハンドオーバ先無線基地局は、同一の上位ノード配下に設けられており、
前記データ転送用トンネルは、前記上位ノードを経由することなく設定されるように構成されており、
前記データ転送用トンネルの設定情報は、該データ転送用トンネルにおける前記ハンドオーバ先無線基地局側のＧＴＰ  ＴＥ-ＩＤであることを特徴とする請求項９又は１０に記載の無線基地局。
【請求項１４】
前記ハンドオーバ元無線基地局及び前記ハンドオーバ先無線基地局は、異なる上位ノード配下に設けられており、
前記移動局についてのハンドオーバ要求メッセージは、ハンドオーバ元上位ノード及びハンドオーバ先上位ノードを経由して、前記ハンドオーバ先無線基地局に送信されるように構成されており、
前記データ転送用トンネルは、前記ハンドオーバ元上位ノード及び前記ハンドオーバ先上位ノードを経由して設定されるように構成されており、
前記データ転送用トンネルの設定情報は、前記ハンドオーバ元上位ノード及び前記ハンドオーバ先上位ノードを経由して前記ハンドオーバ元無線基地局に対して通知されるように構成されており、
前記ハンドオーバ元無線基地局に対して通知される前記データ転送用トンネルの設定情報は、該データ転送用トンネルにおける前記ハンドオーバ元上位ノード側のＧＴＰ  ＴＥ-ＩＤであることを特徴とする請求項９に記載の無線基地局。
【発明の詳細な説明】
【技術分野】
【０００１】
本発明は、移動通信方法及び無線基地局に関する。
【背景技術】
【０００２】
ＩＭＴ-２０００（Ｉｎｔｅｒｎａｔｉｏｎａｌ  Ｍｏｂｉｌｅ  Ｔｅｌｅｃｏｍｍｕｎｉｃａｔｉｏｎ-２０００）システム以降の次世代の移動通信システム（例えば、ＬＴＥ：Ｌｏｎｇ  Ｔｅｒｍ  Ｅｖｏｌｕｔｉｏｎ）では、ＲＡＮ（Ｒａｄｉｏ  Ａｃｃｅｓｓ  Ｎｅｔｗｏｒｋ）ノード（例えば、無線基地局ｅＮＢ）とコアノード（例えば、ＳＧＷ：Ｓｅｒｖｉｎｇ  Ｇａｔｅｗａｙ）との間で、ユーザプレーン（Ｕ-ｐｌａｎｅ）データを伝送するためのアクセスベアラが設定されるように構成されている。【０００３】
なお、かかるアクセスベアラは、ＧＴＰ（ＧＰＲＳ  Ｔｕｎｎｅｌｉｎｇ  Ｐｒｏｔｏｃｏｌ）トンネルによって形成されるものである。【０００４】
また、かかるＬＴＥ方式の移動通信システムでは、移動局ＵＥとＲＡＮノードとの間で、無線ベアラが設定されるように構成されている。【０００５】
さらに、かかるＬＴＥ方式の移動通信システムでは、移動局ＵＥとコアノードとの間で、ＥＰＳ（Ｅｖｏｌｖｅｄ  Ｐａｃｋｅｔ  Ｓｙｓｔｅｍ）ベアラが設定されるように構成されている。【０００６】
ここで、移動局が、同一コアノード配下のハンドオーバ元無線基地局からハンドオーバ先無線基地局に対するハンドオーバを行う場合、当該ハンドオーバ元無線基地局と当該ハンドオーバ先無線基地局との間で、ＧＴＰトンネルが設定され、かかるＧＴＰトンネルを介して、各アクセスベアラに対応するユーザプレーンデータが当該ハンドオーバ元無線基地局から当該ハンドオーバ先無線基地局に転送されるように構成されている。【０００７】
しかしながら、ＬＴＥ方式の移動通信システムでは、上述のようなハンドオーバが行われる場合、当該ハンドオーバ元無線基地局から当該ハンドオーバ先無線基地局に対して転送すべきユーザプレーンデータが存在するか否かに関らず、当該ハンドオーバ元無線基地局とコアノードとの間で設定されていた全てのアクセスベアラに対応するＧＴＰトンネルを設定するように構成されているため、リソースを無駄に利用しているという問題点があった。
【発明の開示】
【０００８】
そこで、本発明は、上述の課題に鑑みてなされたものであり、移動局が、ハンドオーバ元無線基地局からハンドオーバ先無線基地局に対するハンドオーバを行う場合に、当該ハンドオーバ元無線基地局から当該ハンドオーバ先無線基地局に対してユーザプレーンデータを転送するためのＧＴＰトンネルを無駄に設定しないことによってリソースの有効活用を行うことができる移動通信方法及び無線基地局を提供することを目的とする。
【０００９】
本発明の第１の特徴は、移動局が、ハンドオーバ元無線基地局からハンドオーバ先無線基地局に対するハンドオーバを行う移動通信方法であって、前記移動局についてハンドオーバを行うことが決定された場合に、上位ノードとの間で設定されているアクセスベアラごとに、前記ハンドオーバ先無線基地局に対して転送すべきユーザプレーンデータが存在しているか否かについて判定する工程Ａと、前記ハンドオーバ先無線基地局に対して、前記移動局についてのハンドオーバ要求メッセージを用いて、前記判定結果を通知する工程Ｂと、前記転送すべきユーザプレーンデータが存在しているアクセスベアラに対してのみ、前記ハンドオーバ元無線基地局から前記ハンドオーバ先無線基地局に該ユーザプレーンデータを転送するためのデータ転送用トンネルを設定し、前記ハンドオーバ要求メッセージに対するハンドオーバ要求応答メッセージを用いて、該データ転送用トンネルの設定情報を前記ハンドオーバ元無線基地局に対して通知する工程Ｃと、前記ハンドオーバ元無線基地局が、前記データ転送用トンネルの設定情報に基づいて、前記データ転送用トンネルを介して、前記ハンドオーバ先無線基地局に対して、前記ユーザプレーンデータを転送する工程Ｄとを有することを要旨とする。
【００１０】
本発明の第１の特徴において、前記ハンドオーバ元無線基地局及び前記ハンドオーバ先無線基地局は、同一の上位ノード配下に設けられており、前記工程Ａにおいて、前記ハンドオーバ元無線基地局が、前記判定を行い、前記工程Ｂにおいて、前記ハンドオーバ元無線基地局が、前記ハンドオーバ先無線基地局に対して、前記移動局についてのハンドオーバ要求メッセージを用いて、前記判定結果を通知し、前記工程Ｃにおいて、前記データ転送用トンネルは、前記上位ノードを経由することなく設定されてもよい。
【００１１】
本発明の第１の特徴において、前記データ転送用トンネルの設定情報は、該データ転送用トンネルにおける前記ハンドオーバ先無線基地局側のＧＴＰ  ＴＥ-ＩＤであってもよい。
【００１２】
本発明の第１の特徴において、前記ハンドオーバ元無線基地局及び前記ハンドオーバ先無線基地局は、異なる上位ノード配下に設けられており、前記工程Ｃにおいて、前記データ転送用トンネルは、前記上位ノードを経由して設定され、前記データ転送用トンネルの設定情報は、該上位ノードを経由して前記ハンドオーバ元無線基地局に対して通知されてもよい。
【００１３】
また、本発明の第１の特徴において、前記ハンドオーバ元無線基地局及び前記ハンドオーバ先無線基地局は、異なる上位ノード配下に設けられており、前記工程Ｃにおいて、前記データ転送用トンネルは、前記上位ノードを経由しないで設定され、前記データ転送用トンネルの設定情報は、該上位ノードを経由しないで前記ハンドオーバ元無線基地局に対して通知されてもよい。
【００１４】
本発明の第１の特徴において、前記データ転送用トンネルの設定情報は、該データ転送用トンネルにおける前記上位ノード側の  ＧＴＰ  ＴＥ-ＩＤであってもよい。
【００１５】
本発明の第１の特徴において、前記移動局についてのハンドオーバ要求メッセージは、前記アクセスベアラごとに、前記ハンドオーバ先無線基地局に対して転送すべきユーザプレーンデータが存在しているか否かを示す指示情報を含んでいてもよい。
【００１６】
本発明の第１の特徴において、前記移動局についてのハンドオーバ要求メッセージは、前記ハンドオーバ先無線基地局に対して転送すべきユーザプレーンデータが存在している前記アクセスベアラのリストを含んでいてもよい。
【００１７】
本発明の第２の特徴は、移動局がハンドオーバ可能な移動通信システムにおいてハンドオーバ先無線基地局として機能することができる無線基地局であって、ハンドオーバ元無線基地局から、前記移動局についてのハンドオーバ要求メッセージを用いて、ハンドオーバ元無線基地局と上位ノードとの間で設定されているアクセスベアラごとに、前記ハンドオーバ先無線基地局に対して転送すべきユーザプレーンデータが存在しているか否かについて通知された場合、該転送すべきユーザプレーンデータが存在しているアクセスベアラに対してのみ、該ユーザプレーンデータを転送するためのデータ転送用トンネルを設定するように構成されており、前記ハンドオーバ要求メッセージに対するハンドオーバ要求応答メッセージを用いて、該データ転送用トンネルの設定情報を前記ハンドオーバ元無線基地局に対して通知するように構成されていることを要旨とする。
【００１８】
本発明の第３の特徴は、移動局がハンドオーバ可能な移動通信システムにおいてハンドオーバ先無線基地局として機能することができる無線基地局であって、上位ノードから、前記移動局についてのハンドオーバ要求メッセージを用いて、ハンドオーバ元無線基地局と該上位ノードとの間で設定されているアクセスベアラごとに、前記ハンドーバ先無線基地局に対して転送すべきユーザプレーンデータが存在しているか否かについて通知された場合、該転送すべきユーザプレーンデータが存在しているアクセスベアラに対してのみ、該ユーザプレーンデータを転送するためのデータ転送用トンネルを設定するように構成されており、前記ハンドオーバ要求メッセージに対するハンドオーバ要求応答メッセージを用いて、前記データ転送用トンネルの設定情報を、前記上位ノードを介して、前記ハンドオーバ元無線基地局に対して通知するように構成されていることを要旨とする。
【００１９】
本発明の第２及び３の特徴において、前記移動局についてのハンドオーバ要求メッセージは、前記アクセスベアラごとに、前記無線基地局に対して転送すべきユーザプレーンデータが存在しているか否かを示す指示情報を含んでいてもよい。
【００２０】
本発明の第２及び３の特徴において、前記移動局についてのハンドオーバ要求メッセージは、前記ハンドオーバ先無線基地局に対して転送すべきユーザプレーンデータが存在している前記アクセスベアラのリストを含んでいてもよい。
【００２１】
本発明の第２及び３の特徴において、前記ハンドオーバ元無線基地局及び前記ハンドオーバ先無線基地局は、同一の上位ノード配下に設けられており、前記データ転送用トンネルは、前記上位ノードを経由することなく設定されるように構成されており、前記データ転送用トンネルの設定情報は、該データ転送用トンネルにおける前記ハンドオーバ先無線基地局側のＧＴＰ  ＴＥ-ＩＤであってもよい。
【００２２】
本発明の第２及び３の特徴において、前記ハンドオーバ元無線基地局及び前記ハンドオーバ先無線基地局は、異なる上位ノード配下に設けられており、前記移動局についてのハンドオーバ要求メッセージは、ハンドオーバ元上位ノード及びハンドオーバ先上位ノードを経由して、前記ハンドオーバ先無線基地局に送信されるように構成されており、前記データ転送用トンネルは、前記ハンドオーバ元上位ノード及び前記ハンドオーバ先上位ノードを経由して設定されるように構成されており、前記データ転送用トンネルの設定情報は、前記ハンドオーバ元上位ノード及び前記ハンドオーバ先上位ノードを経由して前記ハンドオーバ元無線基地局に対して通知されるように構成されており、前記ハンドオーバ元無線基地局に対して通知される前記データ転送用トンネルの設定情報は、該データ転送用トンネルにおける前記ハンドオーバ元上位ノード側のＧＴＰ  ＴＥ-ＩＤであってもよい。
【図面の簡単な説明】
【００２３】
【図１】図１は、本発明の第１の実施形態に係る移動通信システムの全体構成図である。
【図２】図２は、本発明の第１の実施形態に係る移動通信システムで設定されるデータ転送用ＧＴＰトンネルを示す図である。
【図３】図３は、本発明の第１の実施形態に係る移動通信システムで用いられる「Ｈａｎｄｏｖｅｒ  Ｒｅｑｕｅｓｔ」のフォーマットの一例を示す図である。
【図４】図４は、本発明の第１の実施形態に係る移動通信システムで用いられる「Ｈａｎｄｏｖｅｒ  Ｒｅｑｕｅｓｔ」のフォーマットの一例を示す図である。
【図５】図５は、本発明の第１の実施形態に係る移動通信システムで用いられる「Ｈａｎｄｏｖｅｒ  Ｒｅｑｕｅｓｔ  ＡＣＫ」のフォーマットの一例を示す図である。
【図６】図６は、本発明の第１の実施形態に係る移動通信システムで用いられる「Ｈａｎｄｏｖｅｒ  Ｒｅｑｕｅｓｔ  ＡＣＫ」のフォーマットの一例を示す図である。
【図７】図７は、本発明の第１の実施形態に係る移動通信システムにおけるハンドオーバ動作を示すシーケンス図である。
【図８】図８は、本発明の第２の実施形態に係る移動通信システムで設定されるデータ転送用ＧＴＰトンネルを示す図である。
【図９】図９は、本発明の第２の実施形態に係る移動通信システムで用いられる「Ｈａｎｄｏｖｅｒ  Ｒｅｑｕｅｓｔ」のフォーマットの一例を示す図である。
【図１０】図１０は、本発明の第２の実施形態に係る移動通信システムで用いられる「Ｈａｎｄｏｖｅｒ  Ｒｅｑｕｅｓｔ」のフォーマットの一例を示す図である。
【図１１】図１１は、本発明の第２の実施形態に係る移動通信システムで用いられる「Ｈａｎｄｏｖｅｒ  Ｒｅｑｕｅｓｔ  Ａｃｋｎｏｗｌｅｄｇｅ」のフォーマットの一例を示す図である。
【図１２】図１２は、本発明の第２の実施形態に係る移動通信システムで用いられる「Ｈａｎｄｏｖｅｒ  Ｒｅｑｕｅｓｔ  Ａｃｋｎｏｗｌｅｄｇｅ」のフォーマットの一例を示す図である。
【図１３】図１３は、本発明の第２の実施形態に係る移動通信システムで用いられる「Ｈａｎｄｏｖｅｒ  Ｃｏｍｍａｎｄ」のフォーマットの一例を示す図である。
【図１４】図１４は、本発明の第２の実施形態に係る移動通信システムにおけるハンドオーバ動作を示すシーケンス図である。
【図１５】図１５は、本発明の変更例１に係る移動通信システムで設定されるデータ転送用ＧＴＰトンネルを示す図である。
【発明を実施するための最良の形態】
【００２４】
（本発明の第１の実施形態に係る移動通信システムの構成）
図１乃至図６を参照して、本発明の第１の実施形態に係る移動通信システムの構成について説明する。【００２５】
本実施形態に係る移動通信システムにおいて、無線アクセスネットワークは、複数の上位ノード（コアノード）ＳＧＷ/ＭＭＥ（Ｍｏｂｉｌｉｔｙ  Ｍａｎａｇｅｍｅｎｔ  Ｅｎｔｉｔｙ）と、複数の無線基地局ｅＮＢとによって構成されている。【００２６】
図１に示すように、本実施形態では、３ＧＰＰで標準化が進められているＬＴＥ/ＳＡＥのアーキテクチャを具備する移動通信システムを例として説明を行うが、本発明は、かかる移動通信システムに限定されるものではなく、その他のアーキテクチャを具備する移動通信システムにも適用可能である。【００２７】
ここで、ＭＭＥは、制御データをハンドリングするノードであり、ＳＧＷは、ユーザデータをハンドリングするノードである。【００２８】
なお、無線基地局ｅＮＢ同士は、Ｘ２インターフェースと呼ばれるインターフェースを介して接続されており、無線基地局ｅＮＢと上位ノードＭＭＥ/ＳＧＷとは、Ｓ１インターフェースと呼ばれるインターフェースを介して接続されている。【００２９】
Ｓ１インターフェース及びＸ２インターフェース上では、コントロールプレーン（Ｃ-ｐｌａｎｅ）データ及びユーザプレーン（Ｕ-ｐｌａｎｅ）データを伝送することが可能である。【００３０】
特に、ユーザプレーンデータは、ＧＴＰ-Ｕ/ＵＤＰで伝送され、無線基地局ｅＮＢと上位ノードＳＧＷとの間で、ＧＴＰ  ＴＥ（Ｔｕｎｎｅｌ  Ｅｎｄｐｏｉｎｔ）-ＩＤが交換されることによって、ユーザプレーンデータを伝送するためのＧＴＰトンネルが設定される。【００３１】
図２に示すように、本実施形態では、移動局ＵＥが、同一の上位ノードＭＭＥ/ＳＧＷ配下のハンドオーバ元無線基地局Ｓ-ｅＮＢからハンドオーバ先無線基地局Ｔ-ｅＮＢに対するハンドオーバ（Ｘ２ハンドオーバ）を行う場合の例について説明する。【００３２】
ハンドオーバ元無線基地局Ｓ-ｅＮＢは、当該移動局ＵＥについてハンドオーバを行うことを決定した場合に、上位ノードＳＧＷとの間で設定されているアクセスベアラごとに、ハンドオーバ先無線基地局Ｔ-ｅＮＢに対して転送すべきユーザプレーンデータが存在しているか（すなわち、ハンドオーバ先無線基地局Ｔ-ｅＮＢに対してユーザプレーンデータを転送すべきか）否かについて判定するように構成されている。【００３３】
また、ハンドオーバ元無線基地局Ｓ-ｅＮＢは、ハンドオーバ先無線基地局Ｔ-ｅＮＢに対して、当該移動局ＵＥについてのハンドオーバ要求メッセージ「Ｈａｎｄｏｖｅｒ  Ｒｅｑｕｅｓｔ」によって、かかる判定結果を通知するように構成されている。【００３４】
具体的には、当該移動局ＵＥについてのハンドオーバ要求メッセージ「Ｈａｎｄｏｖｅｒ  Ｒｅｑｕｅｓｔ」は、アクセスベアラごとに、ハンドオーバ先無線基地局Ｔ-ｅＮＢに対して転送すべきユーザプレーンデータが存在しているか否かを示す指示情報を含むように構成されていてもよい。【００３５】
例えば、図３に示すように、「３ＧＰＰ  ＴＳ３６.４２３」に規定されている「Ｈａｎｄｏｖｅｒ  Ｒｅｑｕｅｓｔ」のフォーマットに、かかる指示情報を通知するための情報要素「Ｆｏｒｗａｒｄｉｎｇ  Ｉｎｄｉｃａｔｏｒ」を新たに追加するように構成されていてもよい。【００３６】
ここで、情報要素「Ｆｏｒｗａｒｄｉｎｇ  Ｉｎｄｉｃａｔｏｒ」は、「ＳＡＥ  Ｂｅａｒｅｒ  ＩＤ」によって識別されるアクセスベアラについて、ハンドオーバ先無線基地局Ｔ-ｅＮＢに対して転送すべきユーザプレーンデータが存在しているか否かを示す指示情報を通知するものである。【００３７】
また、当該移動局ＵＥについてのハンドオーバ要求メッセージ「Ｈａｎｄｏｖｅｒ  Ｒｅｑｕｅｓｔ」は、ハンドオーバ先無線基地局Ｔ-ｅＮＢに対して転送すべきユーザプレーンデータが存在しているアクセスベアラのリストを含むように構成されていてもよい。【００３８】
例えば、図４に示すように、「３ＧＰＰ  ＴＳ３６.４２３」に規定されている「Ｈａｎｄｏｖｅｒ  Ｒｅｑｕｅｓｔ」のフォーマットに、かかるアクセスベアラのリストを通知するための情報要素「ＳＡＥ  Ｂｅａｒｅｒｓ  Ｔｏ  Ｂｅ  Ｆｏｒｗａｒｄｅｄ  Ｌｉｓｔ」を新たに追加するように構成されていてもよい。【００３９】
また、ハンドオーバ先無線基地局Ｔ-ｅＮＢは、上述のように転送すべきユーザプレーンデータが存在しているアクセスベアラに対してのみ、ハンドオーバ先無線基地局Ｔ-ｅＮＢからハンドオーバ先無線基地局Ｓ-ｅＮＢにユーザプレーンデータを転送するためのデータ転送用ＧＴＰトンネルを設定するように構成されている。【００４０】
すなわち、ハンドオーバ先無線基地局Ｔ-ｅＮＢは、ユーザプレーンデータが存在する場合であっても、ハンドオーバ先無線基地局Ｔ-ｅＮＢに対して転送すべきユーザプレーンが存在しない場合には、当該ユーザプレーンデータに対応するアクセスベアラに対しては、データ転送用ＧＴＰトンネルを設定しないように構成されている。【００４１】
図２の例では、ハンドオーバ元無線基地局Ｓ-ｅＮＢと上位ノードＳＧＷとの間でアクセスベアラ＃Ａ乃至＃Ｃが設定されていたが、アクセスベアラ＃Ｂについては、ハンドオーバ先無線基地局Ｔ-ｅＮＢに対して転送すべきユーザプレーンデータが存在していない或いはユーザプレーンデータを転送する必要がないため、アクセスベアラ＃Ａ及び＃Ｃに対応するデータ転送用ＧＴＰトンネル＃Ａ及び＃Ｃのみが設定されている。【００４２】
また、ハンドオーバ先無線基地局Ｔ-ｅＮＢは、ハンドオーバ要求メッセージ「Ｈａｎｄｏｖｅｒ  Ｒｅｑｕｅｓｔ」に対するハンドオーバ要求応答メッセージ「Ｈａｎｄｏｖｅｒ  Ｒｅｑｕｅｓｔ  ＡＣＫ」によって、設定したデータ転送用ＧＴＰトンネルの設定情報を、ハンドオーバ元無線基地局Ｓ-ｅＮＢに対して通知するように構成されている。【００４３】
ここで、データ転送用ＧＴＰトンネルの設定情報は、当該データ転送用ＧＴＰトンネルにおけるハンドオーバ先無線基地局Ｔ-ｅＮＢ側のＧＴＰ  ＴＥ-ＩＤ（図２の例では、ＧＴＰ  ＴＥ-ＩＤ＃Ａ及びＧＴＰ  ＴＥ-ＩＤ＃Ｃ）である。【００４４】
例えば、図５に示すように、「３ＧＰＰ  ＴＳ３６.４２３」に規定されている「Ｈａｎｄｏｖｅｒ  Ｒｅｑｕｅｓｔ  ＡＣＫ」のフォーマットに、かかるデータ転送用ＧＴＰトンネルの設定情報を通知するための情報要素「Ｆｏｒｗａｒｄｉｎｇ  ＧＴＰ  Ｔｕｎｎｅｌ  Ｅｎｄｐｏｉｎｔ」を新たに追加するように構成されていてもよい。【００４５】
或いは、図６に示すように、「３ＧＰＰ  ＴＳ３６.４２３」に規定されている「Ｈａｎｄｏｖｅｒ  Ｒｅｑｕｅｓｔ  ＡＣＫ」のフォーマットに、上述のリストに含まれる全てのデータ転送用ＧＴＰトンネルの設定情報をまとめて通知するための情報要素「ＳＡＥ  Ｂｅａｒｅｒｓ  Ｆｏｒｗａｒｄｅｄ  Ｌｉｓｔ」を新たに追加するように構成されていてもよい。【００４６】
その後、ハンドオーバ元無線基地局Ｓ-ｅＮＢは、通知されたデータ転送用ＧＴＰトンネルの設定情報（当該データ転送用ＧＴＰトンネルにおけるハンドオーバ先無線基地局Ｔ-ｅＮＢ側のＧＴＰ  ＴＥ-ＩＤ）に基づいて、当該データ転送用ＧＴＰトンネルを介して、ハンドオーバ先無線基地局Ｔ-ｅＮＢに対して、各アクセスベアラに対応するユーザプレーンデータを転送するように構成されている。【００４７】
（本発明の第１の実施形態に係る移動通信システムの動作）
図７を参照して、本発明の第１の実施形態に係る移動通信システムにおけるハンドオーバ動作について説明する。【００４８】
図７に示すように、ステップＳ１００１において、移動局ＵＥによって通知された「Ｍｅａｓｕｒｅｍｅｎｔ  Ｒｅｐｏｒｔ」を受信したハンドオーバ元無線基地局Ｓ-ｅＮＢは、移動局ＵＥから報告された通信品質の中から、例えば、最も通信品質の高いハンドオーバ先無線基地局Ｔ-ｅＮＢに対して、「Ｈａｎｄｏｖｅｒ  Ｒｅｑｕｅｓｔ」を送信する。【００４９】
ここで、「Ｈａｎｄｏｖｅｒ  Ｒｅｑｕｅｓｔ」には、ハンドオーバ先無線基地局Ｔ-ｅＮＢに対して転送すべきユーザプレーンデータが存在しているか否かについてのアクセスベアラごとの判定結果が含まれている。【００５０】
ステップＳ１００２において、「Ｈａｎｄｏｖｅｒ  Ｒｅｑｕｅｓｔ」を受信したハンドオーバ先無線基地局Ｔ-ｅＮＢは、当該移動局ＵＥを受け入れ可能な場合には、上述のように転送すべきユーザプレーンデータが存在しているアクセスベアラに対してのみ、ハンドオーバ先無線基地局Ｔ-ｅＮＢからハンドオーバ先無線基地局Ｓ-ｅＮＢにユーザプレーンデータを転送するためのデータ転送用ＧＴＰトンネルを設定する。【００５１】
その後、ハンドオーバ先無線基地局Ｔ-ｅＮＢは、設定したデータ転送用ＧＴＰトンネルの設定情報（当該データ転送用ＧＴＰトンネルにおけるハンドオーバ先無線基地局Ｔ-ｅＮＢ側のＧＴＰ  ＴＥ-ＩＤ）を含む「Ｈａｎｄｏｖｅｒ  Ｒｅｑｕｅｓｔ  ＡＣＫ」を、ハンドオーバ元無線基地局Ｓ-ｅＮＢに対して送信する。【００５２】
ステップＳ１００３において、「Ｈａｎｄｏｖｅｒ  Ｒｅｑｕｅｓｔ  ＡＣＫ」を受信したハンドオーバ元無線基地局Ｓ-ｅＮＢは、当該移動局ＵＥに対して、ハンドオーバを指示するための「Ｈａｎｄｏｖｅｒ  Ｃｏｍｍａｎｄ」を送信する。【００５３】
ステップＳ１００４において、ハンドオーバ元無線基地局Ｓ-ｅＮＢは、通知されたデータ転送用ＧＴＰトンネルの設定情報（当該データ転送用ＧＴＰトンネルにおけるハンドオーバ先無線基地局Ｔ-ｅＮＢ側のＧＴＰ  ＴＥ-ＩＤ）に基づいて、当該データ転送用ＧＴＰトンネルを介して、ハンドオーバ先無線基地局Ｔ-ｅＮＢに対して、各アクセスベアラに対応するユーザプレーンデータを転送する。【００５４】
ステップＳ１００５において、移動局ＵＥは、「Ｈａｎｄｏｖｅｒ  Ｃｏｍｍａｎｄ」を受信し、上り信号を送信するためのリソースが割り当てられた場合に、「Ｈａｎｄｏｖｅｒ  Ｃｏｎｆｉｒｍ」を、ハンドオーバ先無線基地局Ｔ-ｅＮＢへ送信する。【００５５】
ステップＳ１００６において、「Ｈａｎｄｏｖｅｒ  Ｃｏｎｆｉｒｍ」を受信したハンドオーバ先無線基地局Ｔ-ｅＮＢは、上位ノードＭＭＥに対して、ハンドオーバ元無線基地局Ｓ-ｅＮＢからハンドオーバ先無線基地局Ｔ-ｅＮＢへユーザデータを伝送するパスを切り替えるように要求する「Ｐａｔｈ  Ｓｗｉｔｃｈ  Ｒｅｑｕｅｓｔ」を、ＧＴＰ-Ｕを用いて送信する。【００５６】
ステップＳ１００７において、「Ｐａｔｈ  Ｓｗｉｔｃｈ」を受信した上位ノードＭＭＥは、ハンドオーバ先無線基地局Ｔ-ｅＮＢに対して、「Ｐａｔｈ  Ｓｗｉｔｃｈ  Ｒｅｑｕｅｓｔ  ＡＣＫ」を、ＧＴＰ-Ｕを用いて送信する。【００５７】
（本発明の第１の実施形態に係る移動通信システムの作用・効果）
本発明の第１の実施形態に係る移動通信システムによれば、移動局ＵＥが、ハンドオーバ元無線基地局Ｓ-ｅＮＢからハンドオーバ先無線基地局Ｔ-ｅＮＢに対するハンドオーバを行う場合に、当該ハンドオーバ元無線基地局Ｓ-ｅＮＢから当該ハンドオーバ先無線基地局Ｔ-ｅＮＢに対してユーザプレーンデータを転送するためのデータ転送用ＧＴＰトンネルを無駄に設定しないことによってリソースの有効活用を行うことができる。【００５８】
（本発明の第２の実施形態）
図８乃至図１５を参照して、本発明の第２の実施形態に係る移動通信システムについて説明する。以下、本実施形態に係る移動通信システムについて、上述の第１の実施形態に係る移動通信システムとの相違点を主として説明する。【００５９】
図８に示すように、本実施形態では、移動局ＵＥが、ハンドオーバ元上位ノードＳ-ＭＭＥ/Ｓ-ＳＧＷ配下のハンドオーバ元無線基地局Ｓ-ｅＮＢからハンドオーバ元上位ノードＴ-ＭＭＥ/Ｔ-ＳＧＷ配下のハンドオーバ先無線基地局Ｔ-ｅＮＢに対するハンドオーバ（Ｓ１ハンドオーバ）を行う場合の例について説明する。【００６０】
また、本実施形態では、データ転送用ＧＴＰトンネルは、上位ノード（ハンドオーバ元上位ノードＳ-ＳＧＷ及びハンドオーバ先上位ノードＴ-ＳＧＷ）を経由することなく設定されるように構成されている。【００６１】
すなわち、本実施形態では、ハンドオーバ元無線基地局Ｓ-ｅＮＢは、各アクセスベアラに対応するユーザプレーンデータを、上位ノード（ハンドオーバ元上位ノードＳ-ＳＧＷ及びハンドオーバ先上位ノードＴ-ＳＧＷ）を経由することなく、ハンドオーバ先無線基地局Ｔ-ｅＮＢに転送するように構成されている。【００６２】
また、ハンドオーバ元上位ノードＳ-ＭＭＥは、ハンドオーバ元無線基地局Ｓ-ｅＮＢから、当該移動局ＵＥについてハンドオーバを行うことを決定した旨の通知（「Ｈａｎｄｏｖｅｒ  Ｒｅｑｕｉｒｅｄ」）を受信した場合に、ＱｏＳ（Ｑｕａｌｉｔｙ  ｏｆ  Ｓｅｒｖｉｃｅ）情報等に基づいて、ハンドオーバ元無線基地局Ｓ-ｅＮＢと上位ノードＳＧＷとの間で設定されているアクセスベアラごとに、ハンドオーバ先無線基地局Ｔ-ｅＮＢに対して転送すべきユーザプレーンデータが存在しているか否かについて判定するように構成されている。【００６３】
また、ハンドオーバ先上位ノードＴ-ＭＭＥが、ハンドオーバ先無線基地局Ｔ-ｅＮＢに対して、当該移動局ＵＥについてのハンドオーバ要求メッセージ「Ｈａｎｄｏｖｅｒ  Ｒｅｑｕｅｓｔ」を用いて、かかる判定結果を通知するように構成されている。【００６４】
具体的には、ハンドオーバ先上位ノードＴ-ＭＭＥが、ハンドオーバ先無線基地局Ｔ-ｅＮＢに対して、当該移動局ＵＥについてのハンドオーバ要求メッセージ「Ｈａｎｄｏｖｅｒ  Ｒｅｑｕｅｓｔ」を送信することによって、ハンドオーバ先無線基地局Ｔ-ｅＮＢに対して、かかる判定結果を通知するように構成されている。【００６５】
ここで、当該移動局ＵＥについてのハンドオーバ要求メッセージ「Ｈａｎｄｏｖｅｒ  Ｒｅｑｕｅｓｔ」は、アクセスベアラごとに、ハンドオーバ元無線基地局Ｓ-ｅＮＢからハンドオーバ先無線基地局Ｔ-ｅＮＢに対して転送すべきユーザプレーンデータが存在しているか否かを示す指示情報を含むように構成されていてもよい。【００６６】
例えば、図９に示すように、「３ＧＰＰ  ＴＳ３６.４１３」に規定されている「Ｈａｎｄｏｖｅｒ  Ｒｅｑｕｅｓｔ」のフォーマットに、かかる指示情報を通知するための情報要素「Ｆｏｒｗａｒｄｉｎｇ  Ｉｎｄｉｃａｔｏｒ」を新たに追加するように構成されていてもよい。【００６７】
ここで、情報要素「Ｆｏｒｗａｒｄｉｎｇ  Ｉｎｄｉｃａｔｏｒ」は、「ＳＡＥ  Ｂｅａｒｅｒ  ＩＤ」によって識別されるアクセスベアラについて、ハンドオーバ先無線基地局Ｔ-ｅＮＢに対して転送すべきユーザプレーンデータが存在しているか否かを示す指示情報を通知するものである。【００６８】
また、当該移動局ＵＥについてのハンドオーバ要求メッセージ「Ｈａｎｄｏｖｅｒ  Ｒｅｑｕｅｓｔ」は、ハンドオーバ先無線基地局Ｔ-ｅＮＢに対して転送すべきユーザプレーンデータが存在しているアクセスベアラのリストを含むように構成されていてもよい。【００６９】
例えば、図１０に示すように、「３ＧＰＰ  ＴＳ３６.４１３」に規定されている「Ｈａｎｄｏｖｅｒ  Ｒｅｑｕｅｓｔ」のフォーマットに、かかるアクセスベアラのリストを通知するための情報要素「ＳＡＥ  Ｂｅａｒｅｒｓ  Ｔｏ  Ｂｅ  Ｆｏｒｗａｒｄｅｄ  Ｌｉｓｔ」を新たに追加するように構成されていてもよい。【００７０】
ここで、ハンドオーバ先無線基地局Ｔ-ｅＮＢは、ハンドオーバ元無線基地局Ｓ-ｅＮＢとの間で設定したデータ転送用ＧＴＰトンネルの設定情報を含む「Ｈａｎｄｏｖｅｒ  Ｒｅｑｕｅｓｔ  Ａｃｋｎｏｗｌｅｄｇｅ」を、ハンドオーバ先上位ノードＴ-ＭＭＥに対して送信することによって、当該データ転送用ＧＴＰトンネルの設定情報をハンドオーバ元無線基地局Ｓ-ｅＮＢに通知するように構成されている。【００７１】
例えば、図１１に示すように、「３ＧＰＰ  ＴＳ３６.４１３」に規定されている「Ｈａｎｄｏｖｅｒ  Ｒｅｑｕｅｓｔ  Ａｃｋｎｏｗｌｅｄｇｅ」のフォーマットに、かかるデータ転送用ＧＴＰトンネルの設定情報を通知するための情報要素「ＧＴＰ  ＴＥＩＤ」を新たに追加するように構成されていてもよい。【００７２】
或いは、図１２に示すように、「３ＧＰＰ  ＴＳ３６.４１３」に規定されている「Ｈａｎｄｏｖｅｒ  Ｒｅｑｕｅｓｔ  Ａｃｋｎｏｗｌｅｄｇｅ」のフォーマットに、上述のリストに含まれる全てのデータ転送用ＧＴＰトンネルの設定情報をまとめて通知するための情報要素「ＳＡＥ  Ｂｅａｒｅｒｓ  Ｆｏｒｗａｒｄｅｄ  Ｌｉｓｔ」を新たに追加するように構成されていてもよい。【００７３】
その後、ハンドオーバ元上位ノードＳ-ＭＭＥが、「Ｈａｎｄｏｖｅｒ  Ｃｏｍｍａｎｄ」によって、当該データ転送用ＧＴＰトンネルの設定情報をハンドオーバ元無線基地局Ｓ-ｅＮＢに通知するように構成されている。【００７４】
例えば、図１３に示すように、「３ＧＰＰ  ＴＳ３６.４１３」に規定されている「Ｈａｎｄｏｖｅｒ  Ｃｏｍｍａｎｄ」のフォーマットに、かかるデータ転送用ＧＴＰトンネルの設定情報を通知するための情報要素「ＧＴＰ  ＴＥＩＤ」を新たに追加するように構成されていてもよい。【００７５】
なお、ハンドオーバ元無線基地局Ｓ-ｅＮＢに対して通知されるデータ転送用ＧＴＰトンネルの設定情報は、当該データ転送用ＧＴＰトンネルにおけるハンドオーバ先無線基地局Ｔ-ｅＮＢ側のＧＴＰ  ＴＥ-ＩＤ（図８の例では、ＧＴＰ  ＴＥ-ＩＤ＃Ａ及びＧＴＰ  ＴＥ-ＩＤ＃Ｃ）である。【００７６】
次に、図１４を参照して、本発明の第２の実施形態に係る移動通信システムにおけるハンドオーバ動作について説明する。【００７７】
図１４に示すように、ステップＳ２００１において、移動局ＵＥによって通知された「Ｍｅａｓｕｒｅｍｅｎｔ  Ｒｅｐｏｒｔ」を受信したハンドオーバ元無線基地局Ｓ-ｅＮＢは、移動局ＵＥから報告された通信品質の中から、例えば、最も通信品質の高いハンドオーバ先無線基地局Ｔ-ｅＮＢを選択する。【００７８】
そして、ハンドオーバ元無線基地局Ｓ-ｅＮＢは、当該移動局ＵＥについてハンドオーバを行うように決定した旨を通知する「Ｈａｎｄｏｖｅｒ  Ｒｅｑｕｉｒｅｄ」を、ハンドオーバ元上位ノードＳ-ＭＭＥに対して送信する。【００７９】
ここで、「Ｈａｎｄｏｖｅｒ  Ｒｅｑｕｉｒｅｄ」には、ハンドオーバ元無線基地局Ｓ-ｅＮＢからハンドオーバ先無線基地局Ｔ-ｅＮＢに対して転送すべきユーザプレーンデータが存在しているか否かについてのアクセスベアラごとの判定結果が含まれていない。【００８０】
ステップＳ２００２において、「Ｈａｎｄｏｖｅｒ  Ｒｅｑｕｉｒｅｄ」を受信したハンドオーバ元上位ノードＳ-ＭＭＥは、ＱｏＳ情報等を考慮して、ハンドオーバ元無線基地局Ｓ-ｅＮＢとの間で設立されているアクセスベアラごとに、ハンドオーバ元無線基地局Ｓ-ｅＮＢからハンドオーバ先無線基地局Ｔ-ｅＮＢに対して転送すべきユーザプレーンデータが存在しているか否かについて判定し、その判定結果を通知するための「Ｆｏｒｗａｒｄ  Ｒｅｌｏｃａｔｉｏｎ  Ｒｅｑｕｉｒｅｄ」を、ハンドオーバ先上位ノードＴ-ＭＭＥに対して送信する。【００８１】
ステップＳ２００３において、ハンドオーバ先上位ノードＴ-ＭＭＥは、「Ｃｒｅａｔｅ  Ｂｅａｒｅｒ  Ｒｅｑｕｅｓｔ」を、ハンドオーバ先上位ノードＴ-ＳＧＷに対して送信し、ステップＳ２００４において、「Ｃｒｅａｔｅ  Ｂｅａｒｅｒ  Ｒｅｑｕｅｓｔ」を受信したハンドオーバ先上位ノードＴ-ＳＧＷは、「Ｃｒｅａｔｅ  Ｂｅａｒｅｒ  Ｒｅｓｐｏｎｓｅ」を、ハンドオーバ先上位ノードＴ-ＭＭＥに対して返送する。【００８２】
ステップＳ２００５において、ハンドオーバ先上位ノードＴ-ＭＭＥは、上述の判定結果を通知するための「Ｈａｎｄｏｖｅｒ  Ｒｅｑｕｅｓｔ」を、ハンドオーバ先無線基地局Ｔ-ｅＮＢに対して送信する。【００８３】
ステップＳ２００６において、ハンドオーバ先無線基地局Ｔ-ｅＮＢは、当該移動局ＵＥを受け入れ可能な場合には、上述のように転送すべきユーザプレーンデータが存在しているアクセスベアラに対してのみ、ハンドオーバ先無線基地局Ｔ-ｅＮＢからハンドオーバ先無線基地局Ｓ-ｅＮＢに対してユーザプレーンデータを転送するためのデータ転送用ＧＴＰトンネルを設定する。【００８４】
その後、ハンドオーバ先無線基地局Ｔ-ｅＮＢは、設定したデータ転送用ＧＴＰトンネルの設定情報（当該データ転送用ＧＴＰトンネルにおけるハンドオーバ先無線基地局Ｔ-ｅＮＢ側のＧＴＰ  ＴＥ-ＩＤ）を含む「Ｈａｎｄｏｖｅｒ  Ｒｅｑｕｅｓｔ  Ａｃｋｎｏｗｌｅｄｇｅ」を、ハンドオーバ元無線基地局Ｓ-ｅＮＢに対して送信する。【００８５】
ステップＳ２００７において、ハンドオーバ先上位ノードＴ-ＭＭＥは、「Ｕｐｄａｔｅ  Ｂｅａｒｅｒ  Ｒｅｑｕｅｓｔ」を、ハンドオーバ先上位ノードＴ-ＳＧＷに対して送信し、ステップＳ２００８において、「Ｕｐｄａｔｅ  Ｂｅａｒｅｒ  Ｒｅｑｕｅｓｔ」を受信したハンドオーバ先上位ノードＴ-ＳＧＷは、「Ｕｐｄａｔｅ  Ｂｅａｒｅｒ  Ｒｅｓｐｏｎｓｅ」を、ハンドオーバ先上位ノードＴ-ＭＭＥに対して返送する。【００８６】
ステップＳ２００９において、「Ｈａｎｄｏｖｅｒ  Ｒｅｑｕｅｓｔ  Ａｃｋｎｏｗｌｅｄｇｅ」を受信したハンドオーバ先上位ノードＴ-ＭＭＥは、その旨を通知するための「Ｆｏｒｗａｒｄ  Ｒｅｌｏｃａｔｉｏｎ  Ｒｅｓｐｏｎｓｅ」を、元位ノードＳ-ＭＭＥに送信する。【００８７】
ステップＳ２０１０において、ハンドオーバ元上位ノードＳ-ＭＭＥは、「Ｕｐｄａｔｅ  Ｂｅａｒｅｒ  Ｒｅｑｕｅｓｔ」を、ハンドオーバ元上位ノードＳ-ＳＧＷに対して送信し、ステップＳ２０１１において、「Ｕｐｄａｔｅ  Ｂｅａｒｅｒ  Ｒｅｑｕｅｓｔ」を受信したハンドオーバ元上位ノードＳ-ＳＧＷは、「Ｕｐｄａｔｅ  Ｂｅａｒｅｒ  Ｒｅｓｐｏｎｓｅ」を、ハンドオーバ元上位ノードＳ-ＭＭＥに対して返送する。【００８８】
ステップＳ２０１２において、ハンドオーバ元上位ノードＳ-ＭＭＥは、ハンドオーバ元無線基地局Ｓ-ｅＮＢに対して、設定されたデータ転送用ＧＴＰトンネルの設定情報（当該データ転送用ＧＴＰトンネルにおけるハンドオーバ先無線基地局Ｔ-ｅＮＢ側のＧＴＰ  ＴＥ-ＩＤ）を含む「Ｈａｎｄｏｖｅｒ  Ｃｏｍｍａｎｄ」を送信する。【００８９】
ここで、ハンドオーバ元無線基地局Ｓ-ｅＮＢは、通知されたデータ転送用ＧＴＰトンネルの設定情報（当該データ転送用ＧＴＰトンネルにおけるハンドオーバ先無線基地局Ｔ-ｅＮＢ側のＧＴＰ  ＴＥ-ＩＤ）に基づいて、当該データ転送用ＧＴＰトンネルを介して、ハンドオーバ先無線基地局Ｔ-ｅＮＢに対して、各アクセスベアラに対応するユーザプレーンデータを転送する。【００９０】
ステップＳ２０１３において、ハンドオーバ元無線基地局Ｓ-ｅＮＢは、当該移動局ＵＥに対して、ハンドオーバを指示するための「Ｈａｎｄｏｖｅｒ  Ｃｏｍｍａｎｄ」を送信する。【００９１】
ステップＳ２０１４において、移動局ＵＥは、「Ｈａｎｄｏｖｅｒ  Ｃｏｍｍａｎｄ」を受信し、上り信号を送信するためのリソースが割り当てられた場合に、「Ｈａｎｄｏｖｅｒ  Ｃｏｎｆｉｒｍ」を、ハンドオーバ先無線基地局Ｔ-ｅＮＢへ送信する。【００９２】
ステップＳ２０１５において、ハンドオーバ先無線基地局Ｔ-ｅＮＢは、かかるハンドオーバが完了したことを通知するための「Ｈａｎｄｏｖｅｒ  Ｃｏｍｐｌｅｔｅ」を、ハンドオーバ先上位ノードＴ-ＭＭＥに対して送信する。【００９３】
（変更例１）
図１５を参照して、本発明の第２の実施形態の変更例１に係る移動通信システムについて説明する。以下、本変更例に係る移動通信システムについて、上述の第２の実施形態に係る移動通信システムとの相違点を主として説明する。【００９４】
図１５に示すように、本実施形態では、移動局ＵＥが、ハンドオーバ元上位ノードＳ-ＭＭＥ/Ｓ-ＳＧＷ配下のハンドオーバ元無線基地局Ｓ-ｅＮＢからハンドオーバ元上位ノードＴ-ＭＭＥ/Ｔ-ＳＧＷ配下のハンドオーバ先無線基地局Ｔ-ｅＮＢに対するハンドオーバ（Ｓ１ハンドオーバ）を行う場合の例について説明する。【００９５】
本実施形態では、図１５に示すように、データ転送用ＧＴＰトンネルは、ハンドオーバ元上位ノードＳ-ＳＧＷ及びハンドオーバ先上位ノードＴ-ＳＧＷを経由して設定されるように構成されている。【００９６】
すなわち、本実施形態では、ハンドオーバ元無線基地局Ｓ-ｅＮＢは、各アクセスベアラに対応するユーザプレーンデータを、上位ノード（ハンドオーバ元上位ノードＳ-ＳＧＷ及びハンドオーバ先上位ノードＴ-ＳＧＷ）を経由して、ハンドオーバ先無線基地局Ｔ-ｅＮＢに転送するように構成されている。【００９７】
そのため、本実施形態では、ハンドオーバ元無線基地局Ｓ-ｅＮＢに対して通知されるデータ転送用ＧＴＰトンネルの設定情報は、当該データ転送用ＧＴＰトンネルにおけるハンドオーバ元上位ノードＳ-ＳＧＷ側のＧＴＰ  ＴＥ-ＩＤである。【００９８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。【００９９】
なお、日本国特許出願第２００７−２８２３８０号（２００７年１０月３０日出願）の全内容が、参照により、本願明細書に組み込まれている。
【産業上の利用可能性】
【０１００】
以上説明したように、本発明によれば、移動局が、ハンドオーバ元無線基地局からハンドオーバ先無線基地局に対するハンドオーバを行う場合に、当該ハンドオーバ元無線基地局から当該ハンドオーバ先無線基地局に対してユーザプレーンデータを転送するためのＧＴＰトンネルを無駄に設定しないことによってリソースの有効活用を行うことができる移動通信方法及び無線基地局を提供することができる。
【図１】
2009057684.tif 000003
【図２】
2009057684.tif 000004
【図３】
2009057684.tif 000005
【図４】
2009057684.tif 000006
【図５】
2009057684.tif 000007
【図６】
2009057684.tif 000008
【図７】
2009057684.tif 000009
【図８】
2009057684.tif 000010
【図９】
2009057684.tif 000011
【図１０】
2009057684.tif 000012
【図１１】
2009057684.tif 000013
【図１２】
2009057684.tif 000014
【図１３】
2009057684.tif 000015
【図１４】
2009057684.tif 000016
【図１５】
2009057684.tif 000017
【手続補正書】
【提出日】平成22年7月8日(2010.7.8)
【手続補正１】
【補正対象書類名】明細書
【補正対象項目名】００３８
【補正方法】変更
【補正の内容】
【００３８】
また、ハンドオーバ先無線基地局Ｔ-ｅＮＢは、上述のように転送すべきユーザプレーンデータが存在しているアクセスベアラに対してのみ、ハンドオーバ元無線基地局Ｓ-ｅＮＢからハンドオーバ先無線基地局Ｔ-ｅＮＢにユーザプレーンデータを転送するためのデータ転送用ＧＴＰトンネルを設定するように構成されている。
【手続補正２】
【補正対象書類名】明細書
【補正対象項目名】００３９
【補正方法】変更
【補正の内容】
【００３９】
すなわち、ハンドオーバ先無線基地局Ｔ-ｅＮＢは、ユーザプレーンデータが存在する場合であっても、ハンドオーバ先無線基地局Ｔ-ｅＮＢに対して転送すべきユーザプレーンデータが存在しない場合には、当該ユーザプレーンデータに対応するアクセスベアラに対しては、データ転送用ＧＴＰトンネルを設定しないように構成されている。
【手続補正３】
【補正対象書類名】明細書
【補正対象項目名】００４９
【補正方法】変更
【補正の内容】
【００４９】
ステップＳ１００２において、「Ｈａｎｄｏｖｅｒ  Ｒｅｑｕｅｓｔ」を受信したハンドオーバ先無線基地局Ｔ-ｅＮＢは、当該移動局ＵＥを受け入れ可能な場合には、上述のように転送すべきユーザプレーンデータが存在しているアクセスベアラに対してのみ、ハンドオーバ元無線基地局Ｓ-ｅＮＢからハンドオーバ先無線基地局Ｔ-ｅＮＢにユーザプレーンデータを転送するためのデータ転送用ＧＴＰトンネルを設定する。
【手続補正４】
【補正対象書類名】明細書
【補正対象項目名】００５５
【補正方法】変更
【補正の内容】
【００５５】
ステップＳ１００７において、「Ｐａｔｈ  Ｓｗｉｔｃｈ  Ｒｅｑｕｅｓｔ」を受信した上位ノードＭＭＥは、ハンドオーバ先無線基地局Ｔ-ｅＮＢに対して、「Ｐａｔｈ  Ｓｗｉｔｃｈ  Ｒｅｑｕｅｓｔ  ＡＣＫ」を、ＧＴＰ-Ｕを用いて送信する。
【手続補正５】
【補正対象書類名】明細書
【補正対象項目名】００８２
【補正方法】変更
【補正の内容】
【００８２】
ステップＳ２００６において、ハンドオーバ先無線基地局Ｔ-ｅＮＢは、当該移動局ＵＥを受け入れ可能な場合には、上述のように転送すべきユーザプレーンデータが存在しているアクセスベアラに対してのみ、ハンドオーバ元無線基地局Ｓ-ｅＮＢからハンドオーバ先無線基地局Ｔ-ｅＮＢに対してユーザプレーンデータを転送するためのデータ転送用ＧＴＰトンネルを設定する。
【手続補正６】
【補正対象書類名】明細書
【補正対象項目名】００８５
【補正方法】変更
【補正の内容】
【００８５】
ステップＳ２００９において、「Ｕｐｄａｔｅ  Ｂｅａｒｅｒ  Ｒｅｓｐｏｎｓｅ」を受信したハンドオーバ先上位ノードＴ-ＭＭＥは、その旨を通知するための「Ｆｏｒｗａｒｄ  Ｒｅｌｏｃａｔｉｏｎ  Ｒｅｓｐｏｎｓｅ」を、ハンドオーバ元上位ノードＳ-ＭＭＥに送信する。
【国際調査報告】
2009057684.tif 000018
2009057684.tif 000019